(57)【要約】第１アクセスネットワークから第２アクセスネットワーク（一実装では）への移動体通信装置のハンドオーバ方法は、以下の通りである。プロトコルデータユニットセッション更新要求に応じて、第１計算装置（たとえばＡＭＦ）は、プロトコルデータユニットセッションの識別子と、そのプロトコルデータユニットセッションを用いて第２アクセスネットワーク上で通信するために移動体通信装置によって用いられるネットワークスライスに関するネットワークスライス情報とを受信する。第１計算装置は、ネットワークスライスインスタンスを選択するためと、そのネットワークスライスインスタンス内で第２計算装置（たとえば別のＡＭＦ）を選択するために、ネットワークスライス情報を用いる。第１計算装置は、第２計算装置に、ネットワークスライス情報およびプロトコルデータユニットセッションの識別子を含む再配置要求を送信する。【選択図】図５
2021516499.tif 000002
【特許請求の範囲】
【請求項１】
第１アクセスネットワークから第２アクセスネットワークへの移動体通信装置のハンドオーバを実行する方法であって、
プロトコルデータユニットセッション更新要求に応じて、第１計算装置が、プロトコルデータユニットセッションの識別子と、前記プロトコルデータユニットセッションを用いて前記第２アクセスネットワーク上で通信するために前記移動体通信装置によって用いられるネットワークスライスに関するネットワークスライス情報とを受信することと、
前記第１計算装置が、前記ネットワークスライス情報を使用して、ネットワークスライスインスタンスを選択し、前記ネットワークスライスインスタンス内で第２計算装置を選択することと、
前記第１計算装置が、前記第２計算装置に、前記ネットワークスライス情報および前記プロトコルデータユニットセッションの前記識別子を含む再配置要求を送信することと、
を含む方法。
【請求項２】
前記第１計算装置は、前記第１アクセスネットワークに通信可能にリンクされたコアネットワークのアクセスおよびモビリティ管理機能を実行し、
前記第２計算装置は、前記コアネットワークのアクセスおよびモビリティ管理機能を実行する、
請求項１に記載の方法。
【請求項３】
前記第１アクセスネットワークは進化型パケットシステムであり、
前記方法はさらに、
前記第１計算装置が、前記第１アクセスネットワークのモビリティ管理エンティティから、前記第１アクセスネットワークのモビリティ管理コンテキストを受信することと、
前記第１計算装置が、前記第１アクセスネットワークの前記モビリティ管理コンテキストを、前記第２アクセスネットワークのモビリティ管理コンテキストにマッピングすることと、
前記第１計算装置が、前記第２計算装置に、前記マッピングされたモビリティ管理コンテキストを送信することと、
を含む、請求項１に記載の方法。
【請求項４】
第１アクセスネットワークから第２アクセスネットワークへの移動体通信装置のハンドオーバを実行する方法であって、
前記第１アクセスネットワークに関するアクセスおよびモビリティ管理機能を実行する第１計算装置上で、プロトコルデータユニットセッション更新要求を、前記第２アクセスネットワークに関するセッション管理機能を実行する第２計算装置に送信することと、
前記第１計算装置が、前記第２計算装置から、プロトコルデータユニットセッションの識別子と、前記プロトコルデータユニットセッションを用いて前記第２アクセスネットワーク上で通信するために前記移動体通信装置によって用いられるネットワークスライスに関するネットワークスライス情報と、前記第２アクセスネットワーク上で通信するために前記移動体通信装置に関して用いられるセッション管理情報とを受信することと、
前記第１計算装置が、前記ネットワークスライス情報を用いて、ネットワークスライスインスタンスを選択し、前記ネットワークスライスインスタンス内で第３計算装置を選択することであって、前記第３計算装置は、前記第２アクセスネットワークに関するアクセスおよびモビリティ管理機能を実行することと、
前記第１計算装置が、前記第３計算装置に、前記ネットワークスライス情報と、前記プロトコルデータユニットセッションの前記識別子と、前記第２アクセスネットワーク上で通信するための前記移動体通信装置に関する前記セッション管理情報と、を含む再配置要求を送信することと、
を含む、方法。
【請求項５】
前記第１アクセスネットワークは進化型パケットシステムであり、
前記方法はさらに、
前記第１計算装置が、前記第１アクセスネットワークのモビリティ管理エンティティから、前記第１アクセスネットワークのモビリティ管理コンテキストを受信することと、
前記第１計算装置が、前記第１アクセスネットワークの前記モビリティ管理コンテキストを、前記第２アクセスネットワークのモビリティ管理コンテキストにマッピングすることと、
前記第１計算装置が、前記第３計算装置に、前記マッピングされたモビリティ管理コンテキストを送信することと、
を含む、請求項４に記載の方法。
【請求項６】
前記第２計算装置が、前記プロトコルデータユニットセッションに対してユーザプレーン資源を割り当てるために、第４計算装置を選択することをさらに含み、
前記第４計算装置は、前記第２アクセスネットワークに関するユーザプレーン機能を実行する、
請求項４に記載の方法。
【請求項７】
前記第１計算装置が、前記第２計算装置に、前記第４計算装置内の前記ユーザプレーン資源の削除に関する要求を送信することをさらに含む、請求項６に記載の方法。
【請求項８】
前記第４計算装置が前記ユーザプレーン資源を削除することをさらに含む、請求項７に記載の方法。
【請求項９】
前記第３計算装置が、
前記第２アクセスネットワークに関するセッション管理機能を実行するために第５計算装置を選択することと、
前記第５計算装置に、プロトコルデータユニットセッション更新要求を送信することと、
前記第５計算装置が、
前記第２アクセスネットワークに関するユーザプレーン機能を実行するために第６計算装置を選択することと、
第７計算装置にプロトコルデータユニットセッション更新要求を送信することと、
をさらに含む、請求項６に記載の方法。
【請求項１０】
前記プロトコルデータユニットセッション更新要求は、セッション管理機能およびパケットデータネットワークゲートウェイ制御プレーン機能を実行する第４計算装置のアドレスを含み、
前記方法はさらに、前記第２計算装置が、前記第４計算装置に、プロトコルデータユニット更新要求を送信することを含む、請求項４に記載の方法。
【請求項１１】
前記第３計算装置が、前記第２アクセスネットワークに関するセッション管理機能を実行するために第４計算装置を選択することと、
前記第３計算装置が、前記第４計算装置にプロトコルデータユニットセッション更新要求を送信することと、
をさらに含む、請求項４に記載の方法。
【請求項１２】
請求項１〜１１のいずれか一項に記載の方法を実行する計算装置。
【請求項１３】
請求項１〜１１のいずれか一項に記載の方法を実行する通信システム。
【請求項１４】
請求項１〜１１のいずれか一項に記載の方法を実行するためのコンピュータ実行可能命令を記憶した、過渡的でないコンピュータ可読媒体。
【発明の詳細な説明】
【技術分野】
【０００１】
本開示は、概して無線ネットワークに関し、とくに異なるアクセスネットワーク間で移動体通信装置のハンドオーバを実行する方法およびシステムに関する。
【０００２】
［背景］
進化型パケットシステム(Evolved Packet System)（「ＥＰＳ」）から第５世代システム（「５Ｇ」）への現在のハンドオーバ手順では、モビリティ管理エンティティ（「ＭＭＥ」）がシングルネットワークスライス選択アシスタント情報（「Ｓ−ＮＳＳＡＩ」）（スライス選択に用いられる）に関する情報を所有しないので、正しいターゲットアクセス管理機能（「ＡＭＦ」）を選択することができない。
【０００３】
添付の特許請求の範囲は、本技術を具体的に提示するが、これらの技術（それらの目的および利点を伴う）は、添付図面と合わせて使用される以下の詳細な説明から最もよく理解される可能性がある。
【図面の簡単な説明】
【０００４】
【図１】本開示の様々な実施形態が実装されるシステムの図。
【図２】通信装置の例示的なハードウェアアーキテクチャ。
【図３】本明細書に記載される様々な実施形態が使用可能な移動体通信システムのためのアーキテクチャ。
【図４】ローミングなしのケースについて、第１アクセスネットワークから第２アクセスネットワークへのハンドオーバを実行するための既存の手順。
【図５】一実施形態による、第１アクセスネットワークから第２アクセスネットワークへと移動体通信装置をハンドオーバするための既存の手順（ローミングなしのケース）。
【図６Ａ】一実施形態による、第１アクセスネットワークから第２アクセスネットワークへのハンドオーバを実行するための手順（ローミングおよびホームルーティングのケース）。
【図６Ｂ】一実施形態による、第１アクセスネットワークから第２アクセスネットワークへのハンドオーバを実行するための手順（ローミングおよびホームルーティングのケース）。
【発明を実施するための形態】
【０００５】
本開示は、概して第１アクセスネットワークから第２アクセスネットワークへのハンドオーバを実行する方法およびシステムに関する。中間ＡＭＦがＭＭＥによって選択され、中間ＡＭＦはデフォルトのＶ−ＳＭＦを選択し、Ｓ−ＮＳＳＡＩおよびＰＤＵセッションＩＤをＰＧＷ−Ｃ＋ＳＭＦから受信する。中間ＡＭＦは、さらにスライス選択を実行し、正しいＡＭＦを選択し、最終ターゲットＡＭＦに再配置要求を転送する。その後、中間ＡＭＦはデフォルトＶ−ＳＭＦの資源を除去する。
【０００６】
一実施形態では、第１アクセスネットワークから第２アクセスネットワークへの移動体通信装置のハンドオーバを実行する方法は、以下の各ステップを含む。プロトコルデータユニットセッション更新要求に応じ、第１計算装置（たとえば第１ＡＭＦ）は、プロトコルデータユニットセッションの識別子を受信し、プロトコルデータユニットセッションを用いて第２アクセスネットワーク上で通信するために移動体通信装置によって用いられるべきネットワークスライスに関するネットワークスライス情報を受信する。第１計算装置は、ネットワークスライス情報を用いて、ネットワークスライスインスタンスを選択し、ネットワークスライスインスタンス内で第２計算装置（たとえば第２ＡＭＦ）を選択する。第１計算装置は、第２計算装置に、ネットワークスライス情報と、プロトコルデータユニットセッションの識別子とを含む再配置要求を送信する。
【０００７】
一実施形態では、第１計算装置は、第１アクセスネットワークに通信可能にリンクされたコアネットワークのアクセスおよびモビリティ管理機能を実行し、第２計算装置は、コアネットワークのアクセスおよびモビリティ管理機能を実行する。
【０００８】
一実施形態によれば、第１アクセスネットワークは進化型パケットシステムであり、本方法は、以下の各追加ステップを含む。第１計算装置は、第１アクセスネットワークのモビリティ管理エンティティから、第１アクセスネットワークのモビリティ管理コンテキストを受信する。第１計算装置は、第１アクセスネットワークのモビリティ管理コンテキストを第２アクセスネットワークのモビリティ管理コンテキストにマッピングする。第１計算装置は、マッピングされたモビリティ管理コンテキストを第２計算装置に送信する。
【０００９】
一実施形態では、第１アクセスネットワークから第２アクセスネットワークへの移動体通信装置のハンドオーバを実行する方法は、以下の各ステップを含む。第１アクセスネットワークに関してアクセスおよびモビリティ管理機能を実行する第１計算装置（たとえば第１ＡＭＦ）は、第２アクセスネットワークに関してセッション管理機能を担う第２計算装置（たとえば第１Ｖ−ＳＭＦ）に、プロトコルデータユニットセッション更新要求を送信する。第１計算装置は、第２計算装置から、プロトコルデータユニットセッションの識別子を受信し、プロトコルデータユニットセッションを用いて、第２アクセスネットワーク上で通信するために移動体通信装置によって用いられるネットワークスライスに関するネットワークスライス情報を受信する。第１計算装置は、ネットワークスライス情報を用いてネットワークスライスインスタンスを選択し、ネットワークスライスインスタンス内で第３計算装置（たとえば第２ＡＭＦ）を選択し、第３計算装置は第２アクセスネットワークに関してアクセスおよびモビリティ管理機能を実行する。第１計算装置は、第３計算装置に、第２アクセスネットワーク上で通信するために用いられる、ネットワークスライス情報と、プロトコルデータユニットセッションの識別子と、セッション管理情報とを含む再配置要求とを送信する。
【００１０】
一実施形態によれば、第１通信アクセスネットワークは進化型パケットシステムであり、本方法はさらに、以下の各追加ステップを含む。第１計算装置は、第１アクセスネットワークのモビリティ管理エンティティから、第１アクセスネットワークのモビリティ管理コンテキストを受信する。第１計算装置は、第１アクセスネットワークのモビリティ管理コンテキストを、第２アクセスネットワークのモビリティ管理コンテキストにマッピングする。第１計算装置は、マッピングされたモビリティ管理コンテキストを第３計算装置に送信する。
【００１１】
一実施形態では、プロトコルデータユニットセッション更新要求は進化型パケットシステムベアラコンテキストを含む。
【００１２】
一実施形態によれば、第２計算装置は、第４計算装置（たとえば第１Ｖ−ＵＰＦ）を選択してプロトコルデータユニットセッションに対してユーザプレーン資源を割り当てる。第４計算装置は、第２アクセスネットワークに関してユーザプレーン機能を実行する。一実施形態では、第１計算装置は、第２計算装置に、第４計算装置上のユーザプレーン資源の削除に関する要求を送信する。一実施形態によれば、第４計算装置はユーザプレーン資源を削除する。
【００１３】
一実施形態では、本方法は、以下の各追加ステップを含む。第３計算装置は、（ａ）第５計算装置（たとえば第２Ｖ−ＳＭＦ）を選択して第２アクセスネットワークに関するセッション管理機能を実行し、（ｂ）第５計算装置にプロトコルデータユニットセッション更新要求を送信する。第５計算装置は、（ａ）第６計算装置（たとえば第２Ｖ−ＵＰＦ）を選択して、第２アクセスネットワークに関するユーザプレーン機能を実行し、（ｂ）第７計算装置（たとえばＳＭＦ＋ＰＧＷ−Ｃ）にプロトコルデータユニットセッション更新要求を送信する。
【００１４】
一実施形態によれば、プロトコルデータユニットセッション更新要求は、セッション管理機能およびパケットデータネットワークゲートウェイ制御プレーン機能を実行する第４計算装置（たとえばＳＭＦ＋ＰＧＷ−Ｃ）のアドレスを含み、第２計算装置は、第４計算装置に、プロトコルデータユニット更新要求を送信する。
【００１５】
一実施形態では、第３計算装置は第４計算装置（たとえばＶ−ＳＭＦ２）を選択して第２アクセスネットワークに関するセッション管理機能を実行する。第３計算装置は、第４計算装置に、プロトコルデータユニットセッション更新要求を送信する。
【００１６】
図１は、本明細書に記載される様々な実施形態が実装可能な通信システム１００を示す。通信システム１００は、いくつかの無線通信装置を含む（「無線通信装置」は、簡易な参照のため、本明細書において、しばしば「通信装置」または「装置」と略される）。図示される通信装置は、第１通信装置１０２（ユーザ機器（「ＵＥ」）として図示される）、第２通信装置１０４（基地局として図示される）、および第３通信装置１０６（ＵＥとして図示される）である。他の多数の通信装置が存在してもよく、図１に示すものは例としてのみ意図されるということを理解すべきである。一実施形態では、無線通信システム１００は、図１に示されない他の多くの構成要素（他の基地局、他のＵＥ、無線インフラストラクチャ、有線インフラストラクチャおよび無線ネットワークにおいて一般に見られる他の装置を含む）を有する。各通信装置の可能な実装は、無線通信が可能な任意の装置（たとえばスマートフォン、タブレット、ラップトップコンピュータ、および従前でない装置（たとえば家電製品または「モノのインターネット(Internet of Things)」の他の部分））を含む。無線通信システムの一部として動作する場合には、無線通信装置は「無線ネットワークノード」と呼ばれてもよい。無線通信装置は、主に無線信号を送受信することによって通信する。
【００１７】
以下の記載は、しばしば、図１に対する具体的な参照なく、ノードおよびＵＥを参照する。しかしながら、本明細書に記載される方法はすべて、図１の通信装置によって実行することができ、一般的な態様でのノード、基地局およびＵＥに対する参照は、単なる便宜上のものであるということを理解すべきである。また、記載の手順それぞれについて、一実施形態では、各ステップは言語が説明する順序で実行される。他の実施形態では、各ステップは別の順序で実行される。
【００１８】
図２は、一実施形態による、図１の無線通信装置それぞれによって実装される基本的ハードウェアアーキテクチャを例示する。図１の各要素も同様に他の構成要素を有し得る。図２に示すハードウェアアーキテクチャは、論理回路２０２と、メモリ２０４と、送受信機２０６と、１つ以上のアンテナ（アンテナ２０８によって表され、送信アンテナおよび／または受信アンテナを含む）とを含む。メモリ２０４はバッファであってもよく、バッファを含んでもよく、バッファは、論理回路が入来送信を処理できるようになるまで入来送信を保持する。これらの要素はそれぞれ、１つ以上のデータ経路２１０を介して互いに通信可能にリンクされている。データ経路の例は、ワイヤ、マイクロチップ上の導電性経路、および無線接続である。
【００１９】
本明細書において、「論理回路」という用語は、回路（一種の電子的ハードウェア）であって、数学論理に関して定義された複雑な機能を実行するために設計されたものを意味する。論理回路の例は、マイクロプロセッサ、コントローラ、または特定アプリケーション向け集積回路を含む。本開示が行為を実行する装置を参照する場合には、それは、実際には、その装置に一体化された論理回路がその行為を実行するということをも意味し得ると理解すべきである。
【００２０】
図３は、本明細書に記載される様々な実施形態が使用可能な移動体通信システム（「システム」）３００に関するアーキテクチャを例示する。図３に示す各要素は、本明細書においてしばしば「機能」と呼ばれる。しかしながら、これらの機能は、事実上、実物の計算装置によって（たとえばソフトウェアの制御下で）実行され、いかなる「機能」（アクセス管理機能等）も、（一実施形態によれば）ネットワーク（移動体通信ネットワークのコアネットワーク等）内で動作する計算装置（図２に示すアーキテクチャを伴うもの）であるということを理解すべきである。
【００２１】
システム３００は、代表的ユーザ機器（「ＵＥ」）３０２（簡便な参照のために、「無縁通信装置」、「通信装置」、または「装置」とも呼ばれる）と、第１アクセスネットワーク（「ＡＮ」）３０４（たとえば第４世代（「４Ｇ」）アクセスネットワークであり、ワイヤレス（たとえば無線）アクセスネットワークや有線アクセスネットワークを含んでもよい）と、第２アクセスネットワーク（「ＡＮ」）３０６（たとえば第５世代（「５Ｇ」）アクセスネットワークであり、ワイヤレス（たとえば無線）アクセスネットワークや有線アクセスネットワークを含んでもよい）とを含む。システム３００は、また、第１ＡＮ３０４および第２ＡＮ３０６をサポートする構成要素を含む。第１ＡＮ３０４をサポートするのは、モビリティ管理エンティティ（「ＭＭＥ」）３０８と、サービングゲートウェイ（制御プレーン）（「ＳＧＷ−Ｃ」）３０７と、サービングゲートウェイ（ユーザプレーン）（「ＳＧＷ−Ｕ」）３０９と、パケットデータネットワーク（「ＰＤＮ」）ゲートウェイ制御プレーン（「ＰＧＷ−Ｃ」）機能と、ＰＤＮゲートウェイユーザプレーン（「ＰＧＷ−Ｕ」）機能とである。
【００２２】
第２アクセスネットワーク３０６をサポートするのは、アクセスおよびモビリティ管理機能（「ＡＭＦ」）３１０と、ビジテッドセッション管理機能（「Ｖ−ＳＭＦ」）３１２と、ビジテッドユーザプレーン機能（「Ｖ−ＵＰＦ」）３１４と、セッション管理機能（「ＳＭＦ」）と、ユーザプレーン機能（「ＵＰＦ」）とである。ＰＧＷ−ＣおよびＳＭＦはコロケートされ、集合的にＰＧＷ−Ｃ＋ＳＭＦ３１６と呼ばれる。ＰＧＷ−ＵおよびＵＰＦはコロケートされ、集合的にＰＧＷ−Ｕ＋ＵＰＦ３１８と呼ばれる。
【００２３】
一実装では、第１ＡＮ３０４をサポートする構成要素は、４Ｇ進化型パケットシステムに関する。このように、ｅＮｏｄｅＢは４Ｇ無線アクセスネットワークにおける基本的ユニットであり、ＵＥ３０２の４Ｇ無線資源を管理する。ＭＭＥ３０８は、ＵＥモビリティおよびＵＥ  ＰＤＮ接続の双方を管理する。これは、モビリティ管理（「ＭＭ」）コンテキストおよびセッション管理（「ＳＭ」）コンテキストの双方を保持する。ＳＧＷ−Ｃは、ｅＮｏｄｅＢ間のハンドオーバに関するアンカーである。ＰＧＷは、インターネットプロトコル（「ＩＰ」）アドレスが保存されるように、ＵＥモビリティの間は不変に維持されるアンカーである。
【００２４】
一実装では、第２ＡＮ３０６をサポートする構成要素は、第５世代アクセスネットワーク（「５ＧＡＮ」）に関する。５ＧＡＮは、ＵＥの５Ｇ無線資源を管理する基本的ユニットである。４Ｇとは異なり、モビリティ管理とセッション管理とは分離される。ＡＭＦはＵＥモビリティを管理し、ＵＥ  ＭＭコンテキストを保持する。ＳＭＦはＵＥ  ＰＤＵセッションを管理し、ＳＭコンテキストを保持する。アンカーＳＭＦもまた、モビリティの間は不変に維持される必要がある。
【００２５】
ＰＤＮ接続またはＰＤＵセッションに関して、制御プレーンおよびユーザプレーンは分離される。ＳＧＷ−ＵおよびＵＰＦは、ユーザプレーン機能（パケットルーティングおよび転送、トラフィック使用報告、ユーザプレーンに関するサービス品質（「ＱｏＳ」）ハンドリング、ダウンリンクパケットバッファリング、ダウンリンクデータ通知トリガ、等を提供する）を構成する。ホームルーティングされるローミングの場合については、ビジテッドネットワーク内にＳＧＷまたはＶ−ＳＭＦが存在する。
【００２６】
ＥＰＳと５ＧＳとの間のシームレスなハンドオーバを達成するために、ＰＧＷ−ＣおよびアンカーＳＭＦはコロケートされる。それぞれのＰＧＷ−ＵおよびアンカーＵＰＦもまたコロケートされる。
【００２７】
インタフェースＮ２６はＡＭＦとＭＭＥとの間に用いられ、ＭＭＥ間のインタフェースの機能のサブセットを提供する。ＭＭＥに影響を与えないためには、ＭＭＥからみて、ＡＭＦを別のＭＭＥとみなすことができる。
【００２８】
本明細書において用いる「ネットワークスライス」は、特定のネットワーク能力およびネットワーク特性を提供する論理ネットワークである。「ネットワークスライスインスタンス」は、配備されたネットワークスライスを形成するネットワーク機能インスタンスおよび必要な資源（たとえば、計算、ストレージ、およびネットワーキング資源）のセットである。典型的には、ＡＭＦはいくつかのネットワークスライスインスタンスによって共有することができ、一方で、ＳＭＦおよびＵＰＦは各ネットワークスライスインスタンスについて異なる。
【００２９】
Ｓ−ＮＳＳＡＩ（シングルネットワークスライス選択支援情報）は、ネットワークスライスを識別するために用いられる。Ｓ−ＮＳＳＡＩは、スライス／サービスタイプ（「ＳＳＴ」）（特徴およびサービスに関する期待されるネットワークスライスの振る舞いを参照する）と、任意の変形例で、スライスディファレンシエータ（同じスライス／サービスタイプの、異なる複数のネットワークスライスを互いに差別化するスライス／サービスタイプ（複数可）を補完するオプションの情報である）とからなる。Ｓ−ＮＳＳＡＩは、標準値（たとえば、標準化されたＳＳＴ値を伴うＳＳＴを有するためにそのようなＳ−ＮＳＳＡＩのみが必要であり、ＳＤは不要である）または非標準値を持ち得る。
【００３０】
「ＮＳＳＡＩ」は複数のＳ−ＮＳＳＡＩからなる集合である。
【００３１】
登録手順の間に、ＵＥはＡＮに（たとえば５ＧＡＮに）、要求されたＮＳＳＡＩを提供する。ＡＮは、要求されたＮＳＳＡＩに基づいてＡＭＦを選択し、選択されたＡＭＦに登録要求メッセージを転送する。ＡＭＦはさらに、要求されたＮＳＳＡＩと、加入ＮＳＳＡＩと、ＵＥ位置と、オペレータポリシーとに基づいて、許可されたＮＳＳＡＩを生成する。ＡＭＦは、許可されたＮＳＳＡＩを生成するためにＮＳＳＦ（ネットワークスライス選択機能）を問い合わせてもよい。ＡＭＦは、許可されたＮＳＳＡＩをＵＥに返す。現在のＡＭＦがＵＥをサービングするのに適切でない場合には、ＡＭＦは別のターゲットＡＭＦを選択し、そのターゲットＡＭＦにＵＥ登録メッセージを転送してもよく、ターゲットＡＭＦがＵＥをサービングする。
【００３２】
ＰＤＵセッション確立手順（たとえば５Ｇにおけるもの）の間、ＵＥは、要求されたＳ−ＮＳＳＡＩをＡＭＦに提供する。ＡＭＦは、適切なネットワークスライスインスタンスと、そのネットワークスライスインスタンスにおいてＰＤＵセッションをサービングするＳＭＦとを選択する。ＡＭＦは、自身の設定または問い合わせＮＳＳＦに従ってネットワークスライスインスタンスを選択する。
【００３３】
図４に転じ、ローミングなしの場合に第１アクセスネットワークから第２アクセスネットワークへ（たとえば４Ｇから５Ｇへ）のハンドオーバを実行する既存の手順が示される。ローミングが関与しないので、Ｖ−ＳＭＦは不要である。
【００３４】
１．ＵＥは、第１アクセスネットワーク（たとえば４Ｇ）においてＰＤＮ接続を確立する。ＵＥは第２アクセスネットワークをサポートする（たとえば５Ｇをサポートする）ので、ＰＤＮ接続をサービングするために、コロケートされたＰＧＷ−ＣおよびアンカーＳＭＦが選択される。また、ＵＥはＰＤＵセッションＩＤを割り当て、これをＰＧＷ−Ｃ＋ＳＭＦに提供し、ＰＧＷ−Ｃ＋ＳＭＦはＳ−ＮＳＳＡＩを割り当て、これをＵＥに提供する。ＰＤＵセッションＩＤおよびＳ−ＮＳＳＡＩは第２アクセスネットワークにおいて用いられる。ＭＭＥは、ＵＥとＰＧＷ−Ｃ＋ＳＭＦとの間で、ＰＤＵセッションＩＤおよびＳ−ＮＳＳＡＩをトランスペアレントに転送する。
【００３５】
２．ソースノード（たとえばソースｅＮｏｄｅＢ）は、ＵＥが第２アクセスネットワーク（たとえば５ＧＡＮ）へとハンドオーバされるべきであると決定し、ハンドオーバ要求（ターゲットＡＮノードＩＤ（たとえばターゲット５ＧＡＮノードＩＤ）、ソースツーターゲットトランスペアレントコンテナ）メッセージをＭＭＥに送信する。
【００３６】
３．ＭＭＥはターゲットＡＭＦを選択し、選択されたＡＭＦに転送再配置要求（ターゲットＡＮノードＩＤ（たとえばターゲット５ＧＡＮノードＩＤ）、ソースツーターゲットトランスペアレントコンテナ、ＥＰＳ  ＭＭコンテキスト、ＥＰＳベアラコンテキスト（複数可））を送信する。ＡＭＦは、受信したＥＰＳ  ＭＭコンテキストを第２アクセスネットワークのＭＭコンテキスト（たとえば５ＧＳ  ＭＭコンテキスト）に変換する。これは、ＥＰＳセキュリティコンテキストをマッピングされたセキュリティコンテキスト（たとえばマッピングされた５Ｇセキュリティコンテキスト）に変換することを含む。ＭＭＥ  ＵＥコンテキストは、ＩＭＳＩ、ＭＥ識別子、ＵＥセキュリティコンテキスト、およびＵＥネットワーク能力を含む。ＥＰＳベアラコンテキストは、ＰＧＷ−Ｃ＋ＳＭＦアドレスおよびＡＰＮを含む。
【００３７】
４．ＡＭＦは、ステップ３で受信したＰＧＷ−Ｃ＋ＳＭＦアドレスによって識別されるＳＭＦ上で、Nsmf_PDUSession_UpdateSMContextサービス動作（ＥＰＳベアラコンテキスト（複数可））を発動する。
【００３８】
５．ＰＧＷ−Ｃ＋ＳＭＦは、ＰＧＷ−Ｕ＋ＵＰＦを修正してもよい。
【００３９】
６．ＰＧＷ−Ｃ＋ＳＭＦは、ＡＭＦにNsmf_PDUSession_UpdateSMContext応答（ＰＤＵセッションＩＤ、Ｎ２  ＳＭ情報（ＰＤＵセッションＩＤ、ＱｏＳ規則、コアネットワーク（「ＣＮ」）トンネル情報））を送信する。
【００４０】
７．ＡＭＦは、第２アクセスネットワーク（たとえば５ＧＡＮ）に、ハンドオーバ要求（ソースツーターゲットトランスペアレントコンテナ、Ｎ２  ＳＭ情報（ＰＤＵセッションＩＤ、ＱｏＳフロー識別子（複数可）（「ＱＦＩ（複数可）」）、ＱｏＳプロファイル（複数可）、コアネットワーク（「ＣＮ」）トンネル情報））メッセージを送信する。
【００４１】
８．第２アクセスネットワーク（たとえば５ＧＡＮ）は、受理されたＱｏＳフローに対する無線資源を予約し、ＡＭＦにハンドオーバ要求肯定応答（ターゲットツーソーストランスペアレントコンテナ、Ｎ２  ＳＭ応答（ＰＤＵセッションＩＤ、受理されたＱＦＩ（複数可）のリストおよびＡＮトンネル情報））メッセージを送信する。
【００４２】
９．ＡＭＦは、Ｎ３トンネル情報を更新するために、ＳＭＦにNsmf_PDUSession_UpdateSMContext要求（ＰＤＵセッションＩＤ、Ｎ２  ＳＭ応答（受理されたＱＦＩ（複数可）のリストおよびＡＮトンネル情報））メッセージを送信する。
【００４３】
１０．ＳＭＦは、この受信したリストから、そのＰＤＵセッションにマッピングされるべきＱｏＳフローを導出し、このマッピングに関してＵＰＦに通知する。
【００４４】
１１．ＰＧＷ−Ｃ＋ＳＭＦからＡＭＦ：Nsmf_PDUSession_UpdateSMContext応答（ＰＤＵセッションＩＤ、ＥＰＳベアラセットアップリスト）。ＥＰＳベアラセットアップリストは、第２アクセスネットワークのコアネットワーク（たとば５ＧＣ）へと正しくハンドオーバされたＥＰＳベアラ識別子のリストであり、これは受理されたＱＦＩ（複数可）のリストに基づいて生成される。
【００４５】
１２．ＡＭＦはＭＭＥにメッセージ転送再配置応答（原因、ターゲットツーソーストランスペアレントコンテナ、サービングゲートウェイ（「ＧＷ」）変更インジケーション、ＥＰＳベアラセットアップリスト、制御プレーンに対するＡＭＦトンネルエンドポイント識別子）を送信する。
【００４６】
１３．ＭＭＥはソースノード（たとえばソースｅＮｏｄｅＢ）にハンドオーバ命令（ターゲットツーソーストランスペアレントコンテナ）メッセージを送信する。
【００４７】
１４．ソースノード（たとえばソースｅＮｏｄｅＢ）は、ＵＥにハンドオーバ命令メッセージを送信することにより、ＵＥに、第２アクセスネットワーク（たとえば５ＧＡＮ）へとハンドオーバすることを命令する。このメッセージは、準備フェーズにおいてターゲットアクセスネットワークが予約していた無線アスペクトパラメータを含むトランスペアレントコンテナを含む。
【００４８】
１５．ハンドオーバ確認：ＵＥは第２アクセスネットワーク（たとえば５ＧＡＮ）へのハンドオーバを確認する。ＵＥは第１アクセスネットワークのノードから（たとえば拡張ノードＢ（「ｅＮｏｄｅＢ」）から）移動し、ターゲット（第２）アクセスネットワーク（たとえば５ＧＡＮ）と同期する。ＵＥは、第２アクセスネットワークにおいて割り当てられた無線資源が存在するＱＦＩおよびセッションＩＤに対するユーザプレーンデータのアップリンク送信を再開してもよい。
【００４９】
１６．ハンドオーバ通知：第２アクセスネットワーク（たとえば５ＧＡＮ）は、ＡＭＦに、ＵＥが第２アクセスネットワークにハンドオーバされるということを通知する。
【００５０】
１７．この時点で、ＡＭＦはＵＥがターゲットアクセスネットワークに到着したということを知り、転送再配置完了通知メッセージを送信することによってＭＭＥに通知する。
【００５１】
１８．ＭＭＥは、転送再配置完了通知肯定応答メッセージで応答する。
【００５２】
１９．ＡＭＦからＰＧＷ−Ｃ＋ＳＭＦ：Nsmf_PDUSession_UpdateSMContext要求（ＰＤＵセッションＩＤに対するハンドオーバ完了インジケーション）。
【００５３】
２０．ＰＧＷ−Ｃ＋ＳＭＦは、ＵＰＦ＋ＰＧＷ−ＵをＡＮトンネル情報で更新してもよい。
【００５４】
２１．ＰＧＷ−Ｃ＋ＳＭＦからＡＭＦ：Nsmf_PDUSession_UpdateSMContext応答（ＰＤＵセッションＩＤ）。ＰＧＷ−Ｃ＋ＳＭＦはハンドオーバ完了の受理を確認する。
【００５５】
２２．ＵＥは、ＵＤＭからＵＥ加入情報を検索するためにモビリティ登録手順（たとえＥＰＳから５ＧＳへのモビリティ登録手順に対する）を実行する。
【００５６】
この手順に関する問題は、第１アクセスネットワークから第２アクセスネットワーク（たとえば４Ｇから５Ｇ）へのハンドオーバの間、ＭＭＥによってＵＥ位置にしたがってターゲットＡＭＦが選択されるということである。ネットワークスライスは第１アクセスネットワークによってサポートされないので（たとえば４Ｇではサポートされない）、ＭＭＥは対応するＰＤＮ接続それぞれのＳ−ＮＳＳＡＩを提供されることができない。このように、ＭＭＥによって選択されるターゲットＡＭＦは、ＵＥのアクティブなＰＤＵ接続すべてをサービングするには適切でない可能性がある。
【００５７】
この問題を解決するために、一実施形態では、ソースＭＭＥによって選択された初期ＡＭＦに、Ｓ−ＮＳＳＡＩおよびＰＤＵセッションＩＤが返される。その後、初期ＡＭＦは、ネットワークスライスインスタンスを決定し、そのネットワークスライスインスタンス内でターゲットＡＭＦを選択し、そのネットワークスライスインスタンス内のターゲットＡＭＦにハンドオーバメッセージを転送する。この技術は、ＰＧＷ−Ｃ＋ＳＭＦが、各ＰＤＮ接続に対するＳ−ＮＳＳＡＩを「知っている」（すなわち、それに関するデータを有する）という事実を利用する。
【００５８】
図５に転じ、一実施形態による、移動体通信装置を第１アクセスネットワークから第２アクセスネットワークへとハンドオーバする手順を説明する。図４の例のように、図５の手順はローミングなしの場合に関する。
【００５９】
１．ＵＥは、第１アクセスネットワーク（たとえば４Ｇ）においてＰＤＮ接続を確立する。ＵＥは第２アクセスネットワーク（たとえば５Ｇ）をサポートするので、ＰＤＮ接続をサービングするために、コロケートされたＰＧＷ−ＣおよびアンカーＳＭＦ（「ＰＧＷ−Ｃ＋ＳＭＦ」）が選択される。また、ＵＥはＰＤＵセッションＩＤを割り当て、これをＰＧＷ−Ｃ＋ＳＭＦに提供し、ＰＧＷ−Ｃ＋ＳＭＦはＳ−ＮＳＳＡＩを割り当て、これをＵＥに提供する。ＰＤＵセッションＩＤおよびＳ−ＮＳＳＡＩは第２アクセスネットワーク（たとえば５Ｇ）において用いられる。ＭＭＥは、ＵＥとＰＧＷ−Ｃ＋ＳＭＦとの間で、ＰＤＵセッションＩＤおよびＳ−ＮＳＳＡＩをトランスペアレントに転送する。
【００６０】
２．ソースノード（たとえばソースｅＮｏｄｅＢ）は、ＵＥが第２アクセスネットワーク（たとえば５Ｇ−ＡＮ）へとハンドオーバされるべきであると決定し、ハンドオーバ要求メッセージをＭＭＥに送信する。このメッセージは、ターゲットＡＮノードＩＤ（たとえばターゲット５Ｇ  ＡＮノードＩＤ）、およびソースツーターゲットトランスペアレントコンテナを含む。
【００６１】
３．ＭＭＥはターゲットＡＭＦ（この例ではＡＭＦ１）を選択し、選択されたＡＭＦ（ＡＭＦ１）に転送再配置要求メッセージを送信する。このメッセージは、ターゲットＡＮノードＩＤ（たとえばターゲット５ＧＡＮノードＩＤ）、ソースツーターゲットトランスペアレントコンテナ、ＥＰＳ  ＭＭコンテキスト、ＥＰＳベアラコンテキスト（複数可）を含む。ＡＭＦ１は、受信したＥＰＳ  ＭＭコンテキストを第２アクセスネットワークのＭＭコンテキスト（たとえば５Ｇ  ＭＭコンテキスト）に変換する。これは、ＥＰＳセキュリティコンテキストをマッピングされたセキュリティコンテキスト（たとえばマッピングされた５Ｇセキュリティコンテキスト）に変換することを含む。ＭＭＥ  ＵＥコンテキストは、国際移動体加入識別子（「ＩＭＳＩ」）、移動体機器（「ＭＥ」）識別子、ＵＥセキュリティコンテキスト、およびＵＥネットワーク能力を含む。ＥＰＳベアラコンテキストは、ＰＧＷ−Ｃ＋ＳＭＦアドレスおよびアクセスポイント名（「ＡＰＮ」）を含む。
【００６２】
４．ＡＭＦ１は、ステップ３で受信したＳＭＦ識別アドレス（この例ではＰＧＷ−Ｃ＋ＳＭＦのアドレス）上で、Nsmf_PDUSession_UpdateSMContextサービス動作を発動する。ＡＭＦ１は、ＰＧＷ−Ｃ＋ＳＭＦにNsmf_PDUSession_UpdateSMContext要求メッセージを送信することによってこれを行う。このメッセージは、ＥＰＳベアラコンテキスト（複数可）とＡＭＦ１のＩＤ（ＡＭＦ１  ＩＤ）とを含む。
【００６３】
５．ＰＧＷ−Ｃ＋ＳＭＦは、ＰＧＷ−Ｕ＋ＵＰＦを修正してもよい。
【００６４】
６．ＰＧＷ−Ｃ＋ＳＭＦは、ＡＭＦ１に、Nsmf_PDUSession_UpdateSMContext応答（ＰＤＵセッションＩＤ、Ｎ２  ＳＭ情報（ＰＤＵセッションＩＤ、ＱｏＳ規則、ＣＮトンネル情報、Ｓ−ＮＳＳＡＩ）、Ｓ−ＮＳＳＡＩ）を送信する。
【００６５】
７．ＡＭＦ１は、ネットワークスライスインスタンス選択を実行し、ステップ６で受信したＳ−ＮＳＳＡＩに基づいてターゲットＡＭＦ２を選択する。
【００６６】
８．ＡＭＦ１は、選択されたＡＭＦ２に、転送再配置要求（ターゲット５ＧＡＮノードＩＤ、ソースツーターゲットトランスペアレントコンテナ、ＥＰＳ  ＭＭコンテキスト、ＥＰＳベアラコンテキスト（複数可）、ＰＧＷ−Ｃ＋ＳＭＦから受信したＮ２  ＳＭ情報、Ｓ−ＮＳＳＡＩ）メッセージを転送する。任意の変形例において、ＡＭＦ２がマッピングを再度実行する必要がなくなるように、ＡＭＦ１は、ＡＭＦ２に、ＥＰＳ  ＭＭコンテキストに代えてマッピングされた５Ｇ  ＭＭコンテキストを提供する。
【００６７】
９．ＡＭＦ２は、５ＧＡＮに、ハンドオーバ要求（ソースツーターゲットトランスペアレントコンテナ、ＡＭＦ１から受信したＮ２  ＳＭ情報）メッセージを送信する。
【００６８】
１０．５ＧＡＮは、受理されたＱｏＳフローに対する無線資源を予約し、ＡＭＦ２にハンドオーバ要求肯定応答（ターゲットツーソーストランスペアレントコンテナ、Ｎ２  ＳＭ応答（ＰＤＵセッションＩＤ、受理されたＱＦＩ（複数可）のリストおよびＡＮトンネル情報））メッセージを送信する。
【００６９】
１１．ＡＭＦ２は、Ｎ３トンネル情報を更新するために、ステップ８で受信したＳＭＦ識別アドレス（この例ではＰＧＷ−Ｃ＋ＳＭＦのアドレス）にNsmf_PDUSession_UpdateSMContext要求（ＰＤＵセッションＩＤ、Ｎ２  ＳＭ応答（受理されたＱＦＩ（複数可）のリストおよびＡＮトンネル情報））メッセージを送信する。
【００７０】
１２．ＳＭＦ（すなわちＰＧＷ−Ｃ＋ＳＭＦのＳＭＦ機能）は、この受信したＱｏＳのリストから、そのＰＤＵセッションにマッピングされるべきフローを導出し、このマッピングに関してＵＰＦに通知する（すなわち、ＵＰＦ機能にＰＧＷ−Ｕ＋ＵＰＦを通知する）。
【００７１】
１３．ＰＧＷ−Ｃ＋ＳＭＦは、ＡＭＦ２に、Nsmf_PDUSession_UpdateSMContext応答メッセージを送信する。このメッセージは、ＰＤＵセッションＩＤおよびＥＰＳベアラセットアップリストを含む。ＥＰＳベアラセットアップリストは、第２アクセスネットワークのコアネットワーク（たとば５ＧＣ）へと正しくハンドオーバされたＥＰＳベアラ識別子のリストであり、受理されたＱＦＩ（複数可）のリストに基づいて生成される。
【００７２】
１４．ＡＭＦ２は、ＭＭＥに転送再配置応答メッセージを送信する。このメッセージは、原因、ターゲットツーソーストランスペアレントコンテナ、サービングＧＷ変更インジケーション、ＥＰＳベアラセットアップリスト、制御プレーンに対するＡＭＦトンネルエンドポイント識別子を含む。代替的に、ＡＭＦ２は、ＡＭＦ１を介してＭＭＥに転送再配置応答を送信してもよい。
【００７３】
１５．ＭＭＥはソースノード（たとえばソースｅＮｏｄｅＢ）にハンドオーバ命令メッセージを送信する。このメッセージは、ターゲットツーソーストランスペアレントコンテナを含む。
【００７４】
１６．第１アクセスネットワークのノード（たとえばソースｅＮｏｄｅＢ）は、ＵＥにハンドオーバメッセージを送信する（第２アクセスネットワークへとハンドオーバするよう命令する）。このメッセージは、準備フェーズにおいてターゲットアクセスネットワークが予約した無線アスペクトパラメータを含むトランスペアレントコンテナを含む。
【００７５】
１７．ハンドオーバ確認：ＵＥは第２アクセスネットワーク（たとえば５ＧＡＮ）へのハンドオーバを確認する。ＵＥは第１アクセスネットワークのノードから（たとえばｅＮｏｄｅＢから）移動し、ターゲットアクセスネットワークと同期する。ＵＥは、第２アクセスネットワークにおいて割り当てられた無線資源が存在するＱＦＩおよびセッションＩＤに対するユーザプレーンデータのアップリンク送信を再開してもよい。
【００７６】
１８．ハンドオーバ通知：第２アクセスネットワーク（たとえば５ＧＡＮ）は、ＡＭＦ２に、ＵＥが第２アクセスネットワークにハンドオーバされたということを通知する。
【００７７】
１９．この時点で、ＡＭＦ２はＵＥがターゲット側（すなわち第２アクセスネットワーク）に到着したということを知り、転送再配置完了通知メッセージをＭＭＥに送信することによってＭＭＥに通知する。このメッセージは、直接的にＭＭＥに送信されてもよく、ＡＭＦ１を介してＭＭＥに送信されてもよい。
【００７８】
２０．ＭＭＥは、転送再配置完了通知肯定応答メッセージで応答する。
【００７９】
２１．ＡＭＦ２は、ＰＧＷ−Ｃ＋ＳＭＦに、Nsmf_PDUSession_UpdateSMContext要求メッセージを送信する。このメッセージは、ＰＤＵセッションＩＤに対するハンドオーバ完了インジケーションを含む。
【００８０】
２２．ＰＧＷ−Ｃ＋ＳＭＦは、ＵＰＦ＋ＰＧＷ−ＵをＡＮトンネル情報で更新する。
【００８１】
２３．ＰＧＷ−Ｃ＋ＳＭＦは、ＡＭＦ２に、Nsmf_PDUSession_UpdateSMContext応答メッセージを送信する。このメッセージは、ＰＤＵセッションＩＤを含む。ＰＧＷ−Ｃ＋ＳＭＦは、このメッセージによってハンドオーバ完了の受理を確認する。
【００８２】
２４．ＵＥは、ＵＤＭからＵＥの加入情報を検索するためにモビリティ登録手順を実行する（たとえばＥＰＡから５ＧＳへのモビリティ登録手順）。
【００８３】
図６Ａおよび図６Ｂに転じ、一実施形態による、第１アクセスネットワークから第２アクセスネットワークへのハンドオーバを実行する手順を説明する。図６Ａおよび図６Ｂの手順は、ローミングおよびホームルーティングの場合に関する。
【００８４】
１．ＵＥは、第１アクセスネットワーク（たとえば４Ｇ）においてＰＤＮ接続を確立する。ＵＥは第２アクセスネットワーク（たとえば５Ｇ）との通信をサポートするので、ＰＤＮ接続をサービングするために、コロケートされたＰＧＷ−ＣおよびアンカーＳＭＦが選択される。また、ＵＥはＰＤＵセッションＩＤを割り当て、これをＰＧＷ−Ｃ＋ＳＭＦに提供する。ＰＧＷ−Ｃ＋ＳＭＦはＳ−ＮＳＳＡＩを割り当て、これをＵＥに提供する。ＰＤＵセッションＩＤおよびＳ−ＮＳＳＡＩは第２アクセスネットワーク（たとえば５ＧＡＮ）において用いられる。ＭＭＥは、ＵＥとＰＧＷ−Ｃ＋ＳＭＦとの間で、ＰＤＵセッションＩＤおよびＳ−ＮＳＳＡＩをトランスペアレントに転送する。
【００８５】
２．ソースノード（たとえばｅＮｏｄｅＢ）は、ＵＥが第２アクセスネットワーク（たとえば５ＧＡＮ）へとハンドオーバされるべきであると決定し、ハンドオーバ要求メッセージをＭＭＥに送信する。このメッセージは、ターゲット５Ｇ  ＡＮノードＩＤ（たとえばターゲット５Ｇ  ＡＮノードＩＤ）、およびソースツーターゲットトランスペアレントコンテナを含む。
【００８６】
３．ＭＭＥはターゲットＡＭＦ（この例ではＡＭＦ１）を選択し、ＡＭＦ１に転送再配置要求メッセージを送信する。このメッセージは、ターゲットアクセスネットワークノードＩＤ（たとえば５ＧＡＮノードＩＤ）、ソースツーターゲットトランスペアレントコンテナ、ＥＰＳ  ＭＭコンテキスト、ＥＰＳベアラコンテキスト（複数可）を含む。ＡＭＦ１は、受信したＥＰＳ  ＭＭコンテキストを第２アクセスネットワークのコンテキスト（たとえば５ＧＳ  ＭＭコンテキスト）に変換する。これは、ＥＰＳセキュリティコンテキストをマッピングされたセキュリティコンテキスト（たとえばマッピングされた５Ｇセキュリティコンテキスト）に変換することを含む。ＭＭＥ  ＵＥコンテキストは、ＩＭＳＩ、ＭＥ識別子、ＵＥセキュリティコンテキスト、およびＵＥネットワーク能力を含む。ＥＰＳベアラコンテキストは、ＰＧＷ−Ｃ＋ＳＭＦアドレスおよびＡＰＮを含む。
【００８７】
４．ＡＭＦ１はＳ−ＮＳＳＡＩを知らないので、ＰＤＵセッションについてデフォルトＶ−ＳＭＦ（Ｖ−ＳＭＦ１）を選択する。その後、ＡＭＦ１は、デフォルトＶ−ＳＭＦ（この例ではＶ−ＳＭＦ１）にNsmf_PDUSession_UpdateSMContext要求を送信することによって、デフォルトＶ−ＳＭＦ上でNsmf_PDUSession_UpdateSMContextサービス動作を発動する。このメッセージは、ＭＭＥから受信したＥＰＳベアラコンテキスト（複数可）を含む。
【００８８】
５．デフォルトＶ−ＳＭＦ（この例ではＶ−ＳＭＦ１）は、ＰＤＵセッションをサービングするためにＶ−ＵＰＦ（この例ではＶ−ＵＰＦ１）を選択する。Ｖ−ＳＭＦ１は、ＰＤＵセッションに対してユーザプレーン資源を割り当てるために、Ｖ−ＵＰＦ１を伴うＮ４セッションを確立してもよい。
【００８９】
６．その後、Ｖ−ＳＭＦ１は、ステップ３で受信したＰＧＷ−Ｃ＋ＳＭＦアドレスによって識別されるＰＧＷ−Ｃ＋ＳＭＦに、Nsmf_PDUSession_Update要求を送信する。このメッセージは、ＥＰＳベアラコンテキスト（複数可）を含む。
【００９０】
７．ＰＧＷ−Ｃ＋ＳＭＦはＰＧＷ−Ｕ＋ＵＰＦを修正する。
【００９１】
８．ＰＧＷ−Ｃ＋ＳＭＦは、Ｖ−ＳＭＦ１に、Nsmf_PDUSession_Update応答メッセージを送信する。このメッセージは、Ｈ−ＳＭ情報（ＰＤＵセッションＩＤ、ＱｏＳ規則、Ｈ−ＣＮトンネル情報、およびＳ−ＮＳＳＡＩを含む）を含む。
【００９２】
９．Ｖ−ＳＭＦ１は、Ｎ２  ＣＮトンネル情報を割り当てるために、Ｖ−ＵＰＦ１を確立または修正してもよい。
【００９３】
１０．Ｖ−ＳＭＦ１は、ＡＭＦ１に、Nsmf_PDUSession_UpdateSMContext応答メッセージを送信する。このメッセージは、ＰＤＵセッションＩＤ、Ｎ２  ＳＭ情報（ＰＤＵセッションＩＤ、ＱｏＳ規則、Ｎ２  ＣＮトンネル情報、Ｓ−ＮＳＳＡＩを含む）、Ｓ−ＮＳＳＡＩ、およびＰＧＷ−Ｃ＋ＳＭＦから受信したホームセッション管理（「Ｈ−ＳＭ」）情報を含む。
【００９４】
１１．ステップ１０で受信したＳ−ＮＳＳＡＩに基づき、ＡＭＦ１はネットワークスライスインスタンスを選択し、選択されたインスタンス内でＡＭＦ（この例ではＡＭＦ２）を選択する。
【００９５】
１２．ＡＭＦ１は、選択されたＡＭＦ２に、転送再配置要求メッセージを転送する。このメッセージは、ターゲットアクセスネットワークノードＩＤ、ソースツーターゲットトランスペアレントコンテナ、ＥＰＳ  ＭＭコンテキスト、ＥＰベアラコンテキスト（複数可）、Ｖ−ＳＭＦ１から受信したＮ２  ＳＭ情報、Ｖ−ＳＭＦ１から受信したＨ−ＳＭ情報、およびＳ−ＮＳＳＡＩを含む。任意の変形例で、ＡＭＦ１は、ＡＭＦ２がマッピングを再度実行する必要がなくなるように、ＥＰＳ  ＭＭコンテキストに代えて、第２アクセスネットワークに関するマッピングされたＭＭコンテキスト（たとえばマッピングされた５Ｇ  ＭＭコンテキスト）をＡＭＦ２に提供する。
【００９６】
１３．ＡＭＦ２は、Ｖ−ＳＭＦを再配置すると決定してもよい。Ｖ−ＳＭＦを再選択する必要がない場合には、ＡＭＦ２は、ＡＭＦ１から受信したＮ２  ＳＭ情報を用い、ステップ１４および１５はスキップされる。Ｖ−ＳＭＦを再配置する必要がある場合には、ＡＭＦ２は、ステップ１２で受信したＳ−ＮＳＳＡＩに基づいてＶ−ＳＭＦ２を選択する。以下の説明は、Ｖ−ＳＭＦ再配置の場合に焦点を絞る：ＡＭＦ２は、Ｖ−ＳＭＦ２に、Ｈ−ＳＭ情報を含むNsmf_PDUSession_UpdateSMContext要求メッセージを送信することによって、Ｖ−ＳＭＦ２上でNsmf_PDUSession_UpdateSMContextサービス動作を発動する。
【００９７】
１４．Ｖ−ＳＭＦ２は、ＰＤＵセッション（この例ではＶ−ＵＰＦ２）をサービングするために、ＵＰＦを選択する。Ｖ−ＳＭＦ２は、ＰＤＵセッションに対するＮ２トンネルユーザプレーンを割り当てるために、Ｖ−ＵＰＦ２を伴うＮ４セッションを確立する。
【００９８】
１５．Ｖ−ＳＭＦ２は、ＡＭＦ２に、Nsmf_PDUSession_UpdateSMContext応答メッセージを送信する。このメッセージは、ＰＤＵセッションＩＤ、Ｎ２  ＳＭ情報（ＰＤＵセッションＩＤ、ＱｏＳ規則、Ｎ２  ＣＮトンネル情報、およびＳ−ＮＳＳＡＩを含む）、およびＳ−ＮＳＳＡＩを含む。
【００９９】
１６．ＡＭＦ２は、第２アクセスネットワークに、ハンドオーバ要求メッセージを送信する。このメッセージは、ソースツーターゲットトランスペアレントコンテナと、ＡＭＦ１から受信したＮ２  ＳＭ情報（Ｖ−ＳＭＦ再配置がない場合）またはＶ−ＳＭＦ２から受信したＮ２  ＳＭ情報（Ｖ−ＳＭＦ再配置の場合）とを含む。
【０１００】
１７．第２アクセスネットワークは、受理されたＱｏＳフローに対する無線資源を予約し、ハンドオーバ要求肯定応答メッセージをＡＭＦ２に送信する。このメッセージは、ターゲットツーソーストランスペアレントコンテナおよびＮ２  ＳＭ応答（ＰＤＵセッションＩＤ、受理されたＱＦＩ（複数可）のリストおよびＡＮトンネル情報を含む）を含む。
【０１０１】
１８．ＡＭＦ２は、Ｖ−ＳＭＦ２に、Nsmf_PDUSession_UpdateSMContext要求メッセージを送信する。このメッセージは、ＰＤＵセッションＩＤおよびＮ２  ＳＭ応答（受理されたＱＦＩ（複数可）のリストおよびＡＮトンネル情報）を含む。Ｖ−ＳＭＦ２は、Ｎ３トンネル情報を更新するために、このメッセージを用いる。
【０１０２】
１９．この受信したリストから、Ｖ−ＳＭＦ２は、ＰＤＵセッションにマッピングされるべきＱｏＳフローを導出し、このマッピングについてＶ−ＵＰＦ２に通知する（たとえば、Ｖ−ＵＰＦ２にマッピングを提供する）。
【０１０３】
２０．Ｖ−ＳＭＦ２は、ステップ１３で受信したＰＧＷ−Ｃ＋ＳＭＦアドレスによって識別されるＰＧＷ−Ｃ＋ＳＭＦに、Nsmf_PDUSession_Update要求メッセージを送信する。このメッセージは、ＰＤＵセッションＩＤおよび受理されたＱＦＩ（複数可）のリストを含む。
【０１０４】
２１．ＰＧＷ−Ｃ＋ＳＭＦは、ＰＧＷ−Ｕ＋ＵＰＦを修正してもよい。
【０１０５】
２２．ＰＧＷ−Ｃ＋ＳＭＦは、Ｖ−ＳＭＦ２に、Nsmf_PDUSession_Update応答メッセージを送信する。このメッセージは、ＰＤＵセッションＩＤおよびＥＰＳベアラセットアップリストを含む。ＥＰＳベアラセットアップリストは、第２アクセスネットワーク（たとえば５Ｇコアネットワーク）へと正しくハンドオーバされたＥＰＳベアラ識別子のリストであり、受理されたＱＦＩ（複数可）のリストに基づいて生成される。
【０１０６】
２３．Ｖ−ＳＭＦ２は、ＡＭＦ２に、Nsmf_PDUSession_UpdateSMContext応答メッセージを送信する。このメッセージは、ＰＤＵセッションＩＤおよびＥＰＳベアラセットアップリストを含む。
【０１０７】
２４．ＡＭＦ２は、ＭＭＥに転送再配置応答メッセージを直接送信する。このメッセージは、原因、ターゲットツーソーストランスペアレントコンテナ、サービングＧＷ変更インジケーション、ＥＰＳベアラセットアップリスト、制御プレーンに対するＡＭＦトンネルエンドポイント識別子を含む。代替的に、ＡＭＦ２は、ＡＭＦ１を介してＭＭＥに転送再配置応答メッセージを送信してもよい。
【０１０８】
２５．ＭＭＥは、第１アクセスネットワークの基地局に、ハンドオーバ命令（ターゲットツーソーストランスペアレントコンテナ）メッセージを送信する。
【０１０９】
２６．第１アクセスネットワークの基地局は、ＵＥに、ハンドオーバ命令メッセージ（第２アクセスネットワークへのハンドオーバに関するもの）を送信する。このメッセージは、準備フェーズにおいて第２アクセスネットワークが予約した無線アスペクトパラメータを含むトランスペアレントコンテナを含む。
【０１１０】
２７．ハンドオーバ確認：ＵＥは第２アクセスネットワークへのハンドオーバを確認する。ＵＥは第１アクセスネットワークの基地局から移動し、第２アクセスネットワークと同期する。ＵＥは、第２アクセスネットワークにおいて割り当てられた無線資源が存在するＱＦＩおよびセッションＩＤに対するユーザプレーンデータのアップリンク送信を再開してもよい。
【０１１１】
２８．ハンドオーバ通知：第２アクセスネットワークは、ＡＭＦ２に、ＵＥが第２アクセスネットワークにハンドオーバされたということを通知する。
【０１１２】
２９．この時点で、ＡＭＦ２はＵＥがターゲットネットワーク（第２アクセスネットワーク）にハンドオーバされたということを知る。ＡＭＦ２は、この事実を、転送再配置完了通知メッセージをＭＭＥに送信することによってＭＭＥに通知する。このメッセージは、ＭＭＥに送信されてもよく、ＡＭＦ１を介して送信されてもよい。
【０１１３】
３０．ＭＭＥは、転送再配置完了通知肯定応答メッセージで応答する。
【０１１４】
３１．ＡＭＦ２は、Ｖ−ＳＭＦ２に、Nsmf_PDUSession_UpdateSMContext要求を送信する。この要求は、ＰＤＵセッションＩＤに対するハンドオーバ完了インジケーションを含む。
【０１１５】
３２．Ｖ−ＳＭＦ２は、Ｖ−ＵＰＦ２をＡＮトンネル情報で更新してもよい。
【０１１６】
３３．Ｖ−ＳＭＦ２は、ＰＧＷ−Ｃ＋ＳＭＦに、Nsmf_PDUSession_Update要求を送信する。この要求は、Ｖ−ＵＰＦトンネル情報を含んでもよい
【０１１７】
３４．ＰＧＷ−Ｃ＋ＳＭＦは、ＵＰＦ＋ＰＧＷ−Ｕを、Ｖ−ＵＰＦトンネル情報で更新してもよい。
【０１１８】
３５．ＰＧＷ−Ｃ＋ＳＭＦは、Ｖ−ＳＭＦ２に、Nsmf_PDUSession_Update応答を送信する。
【０１１９】
３６．Ｖ−ＳＭＦ２は、ＡＭＦ２に、Nsmf_PDUSession_UpdateSMContext応答を送信する。この応答はＰＤＵセッションＩＤを含む。このメッセージによって、Ｖ−ＳＭＦ２はハンドオーバ完了の受信を確認する。
【０１２０】
３７．ＡＭＦ１は、Ｖ−ＳＭＦ１に、Nsmf_PDUSession_DeleteSMContext要求を送信する。この要求は、ユーザプレーン資源が割り当てられていた場合に、ステップ５で割り当てられたユーザプレーン資源をＶ−ＳＭＦ１が解放すべきであるということを、Ｖ−ＳＭＦ１に対して示してもよい。このメッセージは、また、ホーム公衆陸上移動体ネットワーク（「ＰＬＭＮ」）におけるこのＰＤＵセッションのユーザプレーン資源が削除されるべきではないということのインジケーションを含む。
【０１２１】
３８．Ｖ−ＳＭＦ１は、Ｖ−ＵＰＦ１内の資源を削除する（たとえば、資源が解放されてもよいとＶ−ＵＰＦ１に示す）。
【０１２２】
３９．Ｖ−ＳＭＦ１は、ＡＭＦ１に、Nsmf_PDUSession_DeleteSMContext応答を送信する。
【０１２３】
ステップ３７〜３９は、ステップ１２の後、任意の時点で実行することができる。
【０１２４】
４０．ＵＥは、統合データ管理サーバ（「ＵＤＭ」）からＵＥ加入情報を検索するために、モビリティ登録手順を実行する（たとえばＥＰＳから５ＧＳへのモビリティ登録手順）。
【０１２５】
本明細書に記載される各例示的実施形態は、説明の意味のみにおいて考慮されるべきであり、限定の目的で考慮されるべきではない。各実施形態における特徴または態様の説明は、典型的には他の実施形態における類似の特徴または態様についても利用可能なはずである。そこにおいて、当業者は、添付の特許請求の範囲によって定義される精神および範囲から逸脱することなく、形態および詳細における様々な変更を加えることができるということを理解する。たとえば、様々な方法の各ステップは、当業者に明らかな態様で順序変更が可能である。
【図１】
2021516499.tif 000003
【図２】
2021516499.tif 000004
【図３】
2021516499.tif 000005
【図４】
2021516499.tif 000006
【図５】
2021516499.tif 000007
【図６Ａ】
2021516499.tif 000008
【図６Ｂ】
2021516499.tif 000009
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
第１アクセスネットワークから第２アクセスネットワークへの移動体通信装置のハンドオーバを実行する方法であって、
プロトコルデータユニットセッション更新要求に応じて、第１計算装置が、
プロトコルデータユニットセッションの識別子と、前記プロトコルデータユニットセッションを用いて前記第２アクセスネットワーク上で通信するために前記移動体通信装置によって用いられるネットワークスライスに関するネットワークスライス情報とを受信することと、
前記ネットワークスライス情報を使用して、第２計算装置を選択することと、
前記第２計算装置に、前記ネットワークスライス情報および前記プロトコルデータユニットセッションの前記識別子を含む再配置要求を送信することと、
を含む方法。
【請求項２】
前記第１計算装置は、前記第１アクセスネットワークに通信可能にリンクされたコアネットワークのアクセスおよびモビリティ管理機能を実行するよう構成され、
前記第２計算装置は、前記コアネットワークのアクセスおよびモビリティ管理機能を実行するよう構成される、
請求項１に記載の方法。
【請求項３】
前記第１アクセスネットワークは進化型パケットシステムであり、
前記方法はさらに、
前記第１アクセスネットワークのモビリティ管理エンティティから、前記第１アクセスネットワークのモビリティ管理コンテキストを受信することと、
前記第１アクセスネットワークの前記モビリティ管理コンテキストを、前記第２アクセスネットワークのモビリティ管理コンテキストにマッピングすることと、
前記第２計算装置に、前記マッピングされたモビリティ管理コンテキストを送信することと、
を含む、請求項１に記載の方法。
【請求項４】
前記ネットワークスライス情報は、ネットワークスライスインスタンスを選択するために使用され、
前記第２計算装置は、前記ネットワークスライスインスタンス内で選択される、
請求項１に記載の方法。
【請求項５】
第１アクセスネットワークから第２アクセスネットワークへの移動体通信装置のハンドオーバを実行する方法であって、
第１計算装置上で、
前記第１アクセスネットワークに関するアクセスおよびモビリティ管理機能を実行することと、
プロトコルデータユニットセッション更新要求を、前記第２アクセスネットワークに関するセッション管理機能を実行する第２計算装置に送信することと、
前記第２計算装置から、プロトコルデータユニットセッションの識別子と、前記プロトコルデータユニットセッションを用いて前記第２アクセスネットワーク上で通信するために前記移動体通信装置によって用いられるネットワークスライスに関するネットワークスライス情報とを受信することと、
前記第２アクセスネットワークに関するアクセスおよびモビリティ管理機能を実行する第３計算装置を、前記ネットワークスライス情報を用いて選択することと、
前記第３計算装置に、前記ネットワークスライス情報と、前記プロトコルデータユニットセッションの前記識別子とを含む再配置要求を送信することと、
を含む、方法。
【請求項６】
前記第１アクセスネットワークは進化型パケットシステムであり、
前記方法はさらに、
前記第１アクセスネットワークのモビリティ管理エンティティから、前記第１アクセスネットワークのモビリティ管理コンテキストを受信することと、
前記第１アクセスネットワークの前記モビリティ管理コンテキストを、前記第２アクセスネットワークのモビリティ管理コンテキストにマッピングすることと、
前記第３計算装置に、前記マッピングされたモビリティ管理コンテキストを送信することと、
を含む、請求項５に記載の方法。
【請求項７】
前記第２計算装置が、前記プロトコルデータユニットセッションに対してユーザプレーン資源を割り当てるために、第４計算装置を選択するよう構成され、
前記第４計算装置は、前記第２アクセスネットワークに関するユーザプレーン機能を実行する、
請求項５に記載の方法。
【請求項８】
前記第２計算装置に、前記第４計算装置内の前記ユーザプレーン資源の削除に関する要求を送信することをさらに含む、請求項７に記載の方法。
【請求項９】
前記第３計算装置が、
前記第２アクセスネットワークに関するセッション管理機能を実行するために第５計算装置を選択し、
前記第５計算装置に、プロトコルデータユニットセッション更新要求を送信する、
よう構成され、
前記第５計算装置が、
前記第２アクセスネットワークに関するユーザプレーン機能を実行するために第６計算装置を選択し、
第７計算装置にプロトコルデータユニットセッション更新要求を送信する、
よう構成される、請求項７に記載の方法。
【請求項１０】
前記プロトコルデータユニットセッション更新要求は、セッション管理機能およびパケットデータネットワークゲートウェイ制御プレーン機能を実行する第４計算装置のアドレスを含み、
前記第２計算装置が、前記第４計算装置に、プロトコルデータユニット更新要求を送信するよう構成される、
請求項５に記載の方法。
【請求項１１】
前記第３計算装置が、
前記第２アクセスネットワークに関するセッション管理機能を実行するために第４計算装置を選択し、
前記第４計算装置にプロトコルデータユニットセッション更新要求を送信する、
よう構成される、請求項５に記載の方法。
【請求項１２】
前記第２計算装置から、前記移動体通信端末が前記第２アクセスネットワーク上で通信するために用いられるセッション管理情報を受信することをさらに含み、
前記再配置要求はさらに前記セッション管理情報を含む、
請求項５に記載の方法。
【請求項１３】
前記ネットワークスライス情報は、ネットワークスライスインスタンスを選択するために使用され、
前記第３計算装置は、前記ネットワークスライスインスタンス内で選択される、
請求項５に記載の方法。
【請求項１４】
請求項１〜１３のいずれか一項に記載の方法を実行するよう構成されたプロセッサを備える通信システム。
【請求項１５】
請求項１〜１３のいずれか一項に記載の方法を実行するためのコンピュータ実行可能命令を記憶した、過渡的でないコンピュータ可読媒体。
【国際調査報告】
2021516499.tif 000010
2021516499.tif 000011